(57)【要約】【課題】医師の診察効率を高めることを可能とする受付システム。【解決手段】サーバ装置２は、問診する内容が記述された問診情報を生成して配信し配信された問診情報に対して返信された回答情報２１４を記録し、  診察の際の情報を閲覧するための医師端末３からの要求に応じて、記録された回答情報２１４を医師端末３へ通知する。受付端末１は、配信された問診情報を表示部１０に表示させて、その問診情報に対する回答の入力を操作部１１で受け付け、入力された回答を含む回答情報をサーバ装置２へ返信させる。【選択図】図１
2012113629.tif 000002
【特許請求の範囲】
【請求項１】
問診する内容が記述された問診情報を生成する問診情報生成手段、
生成された前記問診情報を配信する配信手段、
配信された前記問診情報に対して返信された回答情報を記録する記録手段、
診察の際の情報を閲覧するための医師端末からの要求に応じて、記録された前記回答情報を前記医師端末へ通知する通知手段、
を備えるサーバ装置と、
表示手段、
ユーザの操作を受け付ける操作手段、
前記サーバ装置との通信を行う通信手段、
配信された前記問診情報を前記表示手段に表示させて、当該問診情報に対する回答の入力を前記操作手段で受け付け、入力された回答を含む前記回答情報を前記サーバ装置へ返信させる制御手段、
を備える受付端末と、
を有することを特徴とする受付システム。
【請求項２】
前記受付端末は、ユーザを識別する識別情報を取得する取得手段、及び取得された前記識別情報に応じて前記問診情報の表示言語を切り替える表示言語切替手段を更に備えること、
を特徴とする請求項１に記載の受付システム。
【請求項３】
前記サーバ装置は、前記識別情報ごとに、当該識別情報で特定される患者のカルテを記録したカルテ情報を記憶する記憶手段を更に備え、
前記制御手段は、取得された前記識別情報を前記サーバ装置へ通知させ、
前記問診情報生成手段は、通知された前記識別情報に対応するカルテ情報をもとに、前記問診情報を生成すること、
を特徴とする請求項２に記載の受付システム。
【請求項４】
前記サーバ装置は、通知した前記回答情報の内容を確認したことを示す返信が前記医師端末よりあった場合、前記回答情報を前記カルテ情報に登録する登録手段を更に備えること、
を特徴とする請求項３に記載の受付システム。
【請求項５】
前記制御手段は、診察科目の選択入力を前記操作手段で受け付けて、選択された前記診察科目を前記サーバ装置へ通知させ、
前記問診情報生成手段は、通知された前記診察科目に対応する問診情報を生成すること、
を特徴とする請求項１乃至４のいずれか一項に記載の受付システム。
【請求項６】
前記問診情報生成手段は、返信された前記回答情報に含まれる回答をもとに、別の問診を行う問診情報を新たに生成すること、
を特徴とする請求項１乃至５のいずれか一項に記載の受付システム。
【発明の詳細な説明】
【技術分野】
【０００１】
本発明の実施形態は、受付システムに関する。
【背景技術】
【０００２】
従来、受付端末を介して診察の受付を行う病院の受付システムがある。この受付システムにより、患者は容易に病院での受付を行うことができ、且つ診察の受付に際して、例えば診察の直前であっても待ち時間を短くすることができる。
【発明の概要】
【発明が解決しようとする課題】
【０００３】
しかしながら、上述した従来技術においては、患者が受付を行ってから診察を開始するまでの待ち時間を短縮することは可能であるが、医師の診察効率を高めることはできなかった。例えば、上述した受付システムを用いた場合でも、医師は患者の容態を診察前に知り得ることはできず、診察時において患者への問診から始めることに変わりはなかった。
【課題を解決するための手段】
【０００４】
上述した課題を解決するために、実施形態の受付システムは、診察に先立って問診する内容が記述された問診情報を生成する問診情報生成手段、生成された前記問診情報を配信する配信手段、配信された前記問診情報に対して返信された回答情報を記録する記録手段、診察の際の情報を閲覧するための医師端末からの要求に応じて、記録された前記回答情報を前記医師端末へ通知する通知手段、を備えるサーバ装置と、表示手段、ユーザの操作を受け付ける操作手段、前記サーバ装置との通信を行う通信手段、配信された前記問診情報を前記表示手段に表示させて、当該問診情報に対する回答の入力を前記操作手段で受け付け、入力された回答を含む前記回答情報を前記サーバ装置へ返信させる制御手段を備える受付端末と、を有することを特徴とする。
【図面の簡単な説明】
【０００５】
【図１】図１は、実施形態にかかる受付システムの構成を示すブロック図である。
【図２】図２は、問診情報を表示した表示画面を示す概念図である。
【図３】図３は、回答情報を表示した表示画面を示す概念図である。
【発明を実施するための形態】
【０００６】
以下に添付図面を参照して、実施形態にかかる受付システムの詳細を説明する。
【０００７】
図１は、実施形態にかかる受付システム１００の構成を示すブロック図である。図１に示すように、受付システム１００は、受付端末１、サーバ装置２、医師端末３、を有する構成である。
【０００８】
受付端末１は、例えば受付カウンタなどに設置され、診察を希望する患者Ｈ１が操作する情報端末である。具体的には、受付端末１は、表示部１０、操作部１１、読取部１２、制御部１３、通信部１４を備える構成である。
【０００９】
表示部１０は、ＬＣＤ（Liquid  Crystal  Display）等であり、制御部１３の制御の下、各種画面表示を行う。操作部１１は、操作ボタンや表示部１０に積層して配置されたタッチパネルなどであり、ユーザ（患者Ｈ１）の操作を受け付ける。
【００１０】
読取部１２は、制御部１３の制御の下、患者Ｈ１の診察券４を読み取る読取装置である。具体的には、読取部１２は、スキャナやＲＦＩＤ（Radio  Frequency  IDentification）リーダなどであり、診察券４に印字、若しくは無線タグなどに記録された患者ＩＤ４１を読み取る。患者ＩＤ４１は、患者Ｈ１を識別するため、患者Ｈ１ごとにユニークに割り当てられた識別情報である。診察券４は、初めて診察を行った際に患者ＩＤ４１を記録して発行される。病院側では、患者ＩＤ４１をもとに患者Ｈ１にかかる情報（例えば後述する電子カルテＤＢ２１０）の管理を行う。したがって、受付の際に読取部１２より患者ＩＤ４１を読み取ることで、予め管理している患者Ｈ１にかかる情報を取得することができる。
【００１１】
制御部１３は、ＣＰＵ（Central  Processing  Unit）、ＲＯＭ（Read  Only  Memory）、ＲＡＭ（Random  Access  Memory）、ＨＤＤ（Hard  Disk  Drive）などを備え、受付端末１の動作を制御する。具体的には、ＣＰＵがＲＯＭやＨＤＤに記憶されたプログラムをＲＡＭに展開して順次実行することで、受付端末１の各部へ制御信号を出力し、受付端末１の動作を中央制御する。通信部１４は、制御部１３の制御の下、サーバ装置２と所定の通信プロトコルを用いたデータ通信を行う。
【００１２】
例えば、制御部１３は、サーバ装置２より配信されて通信部１４で受信した問診情報（詳細は後述する）を表示部１０に表示させて、問診情報に対する回答の入力を操作部１１より受け付ける。次いで、制御部１３は、入力された回答を含む回答情報を通信部１４を介してサーバ装置２へ返信させる。また、制御部１３は、診察科目（例えば、内科、外科など）の選択入力を操作部１１より受け付け、選択された診察科目を通信部１４を介してサーバ装置２へ通知させる。また、制御部１３は、ＣＰＵがプログラムを順次実行することで、表示言語切替部１３１としての機能を有している。
【００１３】
表示言語切替部１３１は、読取部１２より読み取られた患者ＩＤ４１に応じて、表示部１０に表示させる問診情報の表示言語の切り替えを行う。具体的には、表示言語切替部１３１は、読取部１２より読み取られた患者ＩＤ４１を、通信部１４を介してサーバ装置２へ通知する。次いで、表示言語切替部１３１は、患者ＩＤ４１の通知に応じてサーバ装置２より返信された、患者Ｈ１の属性を示す属性情報に記載されている国籍や使用言語をもとに表示言語を決定する。次いで、表示言語切替部１３１は、決定した表示言語で問診情報を表示させる。なお、問診情報が予め複数の言語で記述されている場合は、決定した表示言語のみを表示させる。また、問診情報が一つの言語（例えば日本語）で記述されている場合は、日本語と他の言語との辞書データをもとに、表示言語として決定した言語へ翻訳した情報を表示させる。この表示言語切替部１３１による表示言語の切り替えにより、患者Ｈ１が使用する言語で問診情報を表示させることができ、患者Ｈ１の利便性を向上させることができる。
【００１４】
サーバ装置２は、病院内に敷設されたＬＡＮ（Local  Area  Network）等の通信ネットワーク（図示しない）を介し、受付端末１や医師端末３と通信可能に接続する情報機器である。サーバ装置２は、受付端末１や医師端末３の要求に応じて各種情報を提供する。具体的には、サーバ装置２は、通信部２０、記憶部２１、制御部２２を備える構成である。
【００１５】
通信部２０は、制御部２２の制御の下、通信ネットワークを介して接続する受付端末１や医師端末３と、所定の通信プロトコルを用いたデータ通信を行う。記憶部２１は、ＨＤＤなどの大容量記憶装置であり、制御部２２が実行するプログラムや各種設定情報の他、電子カルテＤＢ２１０、問診雛形情報２１１、２１２、２１３、回答情報２１４などの情報を記憶する。
【００１６】
電子カルテＤＢ２１０は、患者Ｈ１ごとの属性や診察内容を記述したデータベースである。具体的には、電子カルテＤＢ２１０は、患者Ｈ１ごとの患者ＩＤ４１をキーとするレコードに、患者Ｈ１の氏名、年齢、性別、国籍、使用言語などの属性を示す属性情報と、医師Ｈ２が診察した際のカルテを記述したカルテ情報とを記憶する。したがって、電子カルテＤＢ２１０は、患者ＩＤ４１を指定することで、指定された患者ＩＤ４１にかかる属性情報やカルテ情報を参照することができる。なお、ここでいうカルテとは、患者Ｈ１の医療に関してその診療経過等を記録したものである。具体的には、病名、病状、治療方針などが診察日時などとともに記述されている。
【００１７】
問診雛形情報２１１、２１２、２１３は、問診情報の雛形が予め記述されたデータファイルなどである。具体的には、問診雛形情報２１１には、診察科目が総合である場合の問診情報の雛形が記述されている。同様に、問診雛形情報２１２には内科、問診雛形情報２１３には外科の問診情報の雛形が記述されている。このように、本実施形態では、総合、内科、外科などの診察科目ごとに、問診情報の雛形が用意されている。
【００１８】
回答情報２１４は、受付端末１へ配信した問診情報に対して受付端末１より返信された情報であり、受付端末１において問診情報に対する回答として入力された情報である。
【００１９】
制御部２２は、ＣＰＵ、ＲＯＭ、ＲＡＭなどを備え、ＣＰＵがＲＯＭや記憶部２１に記憶されたプログラムをＲＡＭの作業領域に展開して順次実行することで、サーバ装置２の動作を中央制御する。具体的には、制御部２２は、ＣＰＵがプログラムを順次実行することで、問診情報生成部２２１、問診情報配信部２２２、回答情報記録部２２３、回答情報通知部２２４、電子カルテ登録部２２５としての機能を有している。
【００２０】
問診情報生成部２２１は、問診する内容が記述された問診情報を生成する。問診情報配信部２２２は、問診情報生成部２２１により生成された問診情報を通信部２０を介して１へ配信する。なお、問診情報生成部２２１による問診情報の生成と、問診情報配信部２２２による生成された問診情報の配信とは、受付端末１で問診を開始する操作が行われた際に実施される。
【００２１】
ここでいう問診とは、医師Ｈ２が患者Ｈ１に対する診察に先立って行う、患者Ｈ１への問い合わせである。問診情報生成部２２１で生成される問診情報には、例えば患者Ｈ１への問い合わせ事項が列挙されている。
【００２２】
具体的には、問診情報生成部２２１は、受付端末１より通知された診察科目に応じて、記憶部２１に記憶されている問診雛形情報２１１、２１２、２１３を選択して、問診情報を生成する。問診雛形情報２１１、２１２、２１３には診察科目ごとの患者Ｈ１への問い合わせ事項が予め列挙されていることから、受付端末１で選択された診察科目に応じた問診情報が、問診情報生成部２２１で生成されて問診情報配信部２２２より受付端末１へ配信される。
【００２３】
図２は、問診情報を表示した表示画面Ｇ１を示す概念図である。問診情報配信部２２２による問診情報の配信を受けて、受付端末１の表示部１０には、図２に示すような表示画面Ｇ１が表示されることとなる。図２の例は、受付端末１で内科が選択された場合の問診情報を表示画面Ｇ１に表示している。患者Ｈ１は、表示画面Ｇ１を確認しながら、患者Ｈ１への問い合わせ事項の回答を操作部１１より行う。
【００２４】
また、問診情報生成部２２１は、診察券４より読み取った患者ＩＤ４１が受付端末１より通知された場合、その患者ＩＤ４１にかかる患者Ｈ１のカルテ情報を電子カルテＤＢ２１０より読み出し、読み出したカルテ情報をもとに問診情報を生成してもよい。具体的には、カルテ情報に記述された病名や症状にかかる問い合わせ事項を付与した問診情報を生成する。例えば、前回の診察で頭痛が症状とされている場合、図２に例示したように、頭痛にかかる問い合わせ事項を追加する。これにより、患者Ｈ１の病歴に対応した問診を診察に先立って行うことができる。
【００２５】
また、問診情報生成部２２１は、受付端末１より返信された回答情報に含まれる回答をもとに、別の問診を行う問診情報を新たに生成してもよい。具体的には、受付端末１より返信された問い合わせ事項の選択回答に応じて、選択された回答に対する新たな問い合わせを含む問診情報を生成する。例えば、問診雛形情報２１１、２１２、２１３に回答の分岐に応じた次の問い合わせ事項を記述しておき、選択回答に応じた次の問い合わせ事項を問診雛形情報２１１、２１２、２１３より読み出して生成する。より具体的には、図２に例示したように、Ｑ１で２の頭痛を回答した場合は、Ｑ３で頭痛に関する新たな問い合わせを追加する。これにより、患者Ｈ１の回答に対応した問診を診察に先立って行うことができる。
【００２６】
回答情報記録部２２３は、受付端末１へ配信した問診情報に対し、受付端末１より返信された回答情報２１４を記憶部２１に記録する。具体的には、患者ＩＤ４１の通知が受付端末１よりあった場合はその患者ＩＤ４１とともに回答情報２１４を記憶部２１に記録する。なお、患者ＩＤ４１の通知が受付端末１よりない患者、すなわち今回が初診察の患者については新たに発行した患者ＩＤ４１とともに回答情報２１４を記憶部２１に記録する。
【００２７】
回答情報通知部２２４は、医師端末３からの要求に応じて、記憶部２１に記録された回答情報２１４を医師端末３へ通知する。電子カルテ登録部２２５は、通知した回答情報２１４の内容を確認したことを示す返信が医師端末３よりあった場合、その確認された回答情報を電子カルテＤＢ２１０のカルテ情報に登録する。
【００２８】
ここで、医師端末３は、例えば診察室などに設置されたＰＣ（Personal  Computer）などであり、医師Ｈ２が操作して診察の際の情報を閲覧するための情報端末である。具体的には、医師端末３は、ＬＣＤ等の表示部３０、キーボードやマウスなどの操作部３１、サーバ装置２との通信を行う通信インターフェイスなどの通信部３２の他、受付端末１と同様に各部を制御するためのＣＰＵ、ＲＯＭ、ＲＡＭ、ＨＤＤなど（いずれも図示しない）を備えて構成される。
【００２９】
医師端末３では、診察を行う際の医師Ｈ２の操作により、受付端末１で患者Ｈ１が行った回答を含む回答情報２１４を通信部３２を介してサーバ装置２に要求する。具体的には、患者の電子カルテを開く操作を行った際に、その患者の患者ＩＤ４１をサーバ装置２に通知することで、電子カルテを開く患者に対応した回答情報２１４を要求する。次いで、医師端末３は、その要求に応じてサーバ装置２より通知された回答情報２１４を表示部３０に表示する。
【００３０】
図３は、回答情報を表示した表示画面Ｇ２を示す概念図である。サーバ装置２より通知された回答情報２１４を受けて、医師端末３の表示部３０には、図３に示すような表示画面Ｇ２が表示されることとなる。図３の例では、通知された回答情報２１４をもとに、患者Ｈ１に行った問い合わせとその回答を、その患者Ｈ１の電子カルテの表示画面Ｇ２に表示している。したがって、医師Ｈ２は、診察時において、患者Ｈ１の問診から始めることなく診察を開始できる。これにより、受付システム１００では、患者Ｈ１の診察効率を高めることが可能となる。
【００３１】
また、回答情報を表示した表示画面Ｇ２には、その回答情報の内容を確認したことを医師Ｈ２が指示するための確認ボタンＧ２１が表示される。操作部３１による操作により確認ボタンＧ２１が操作された場合、医師端末３は、回答情報の内容を確認したことを示す返信を通信部３２を介してサーバ装置２へ行う。電子カルテ登録部２２５は、この返信に応じて、表示画面Ｇ２に表示された電子カルテの患者ＩＤ４１に対応した電子カルテＤＢ２１０のカルテ情報に、確認された回答情報を新たに登録する。これにより、医師Ｈ２が確認した患者Ｈ１の回答が診察履歴として電子カルテＤＢ２１０に登録されることとなる。
【符号の説明】
【００３２】
１００…受付システム、１…受付端末、２…サーバ装置、３…医師端末、４…診察券、１０…表示部、１１…操作部、１２…読取部、１３…制御部、１４…通信部、２０…通信部、２１…記憶部、２２…制御部、４１…患者ＩＤ、１３１…表示言語切替部、２１０…電子カルテＤＢ、２１１…問診雛形情報、２１２…問診雛形情報、２１３…問診雛形情報、２１４…回答情報、２２１…問診情報生成部、２２２…問診情報配信部、２２３…回答情報記録部、２２４…回答情報通知部、２２５…電子カルテ登録部、Ｇ１、Ｇ２…表示画面、Ｇ２１…確認ボタン、Ｈ１…患者、Ｈ２…医師
【先行技術文献】
【特許文献】
【００３３】
【特許文献１】特開２０１０−５５３３８公報
【図１】
2012113629.tif 000003
【図２】
2012113629.tif 000004
【図３】
2012113629.tif 000005